Podtech/llm-jp-corpus-v4-ja_patent huggingface dataset:
(57)【要約】      （修正有）【課題】金属板３枚の異なる形状で構成され、角材・丸材・異形材の非磁性体を磁気力により簡単確実迅速に固定するクランパーを提供する。【解決手段】研削加工物の形状により適正な固定金属板２枚を選択し左右から挟み、金属板に磁力を印加すると、瞬時に磁力作用面に施した、平面・Ｒ面・角度面が支点・力点・作用点の原理に従い非磁性体研削加工物の固定作用面に水平方向と垂直方向の分力が加わる事で完全密着固定される。また、バネと硬球を一体化したフィットプランジャーにより磁気力ＯＦＦで初期状態となり、固定解除される。【選択図】図２
0003202373.tif 000002
【実用新案登録請求の範囲】
【請求項１】
実用新案特許申請範囲は、角材・丸異形材非磁性体研削加工物を固定する金属板に、平面・Ｒ面・角度面を施した磁気力チャック専用金属固定板２種類３枚で固定初期状態に戻す為の機構として、硬球とバネを応用したフィトプランジャーを圧入した構造になって居ます。
【考案の詳細な説明】
【技術分野】
【０００１】本考案は非磁性体研削加工物を迅速かつ正確に磁気力と角度Ｒ面の力点・支点・作用点を応用した磁気力チャック専用研削加工物固定金属板です。
【背景技術】
【０００２】非磁性体金属を固定する場合、一般的にはバイスか当て板・接着等による手法が使用されますが、本考案はその何れとも異なります。
【先行技術文献】
【特許文献】
【０００３】本考案は昭和６３年に『研削加工における非磁性体加工物のクランプ工具』の名称で今回出願本人が実用新案登録申請を実施しており、基本的理論は変えず、今回は再申請と成りますが、更に進化した内容の考案です。
【特許文献１】
【非特許文献】
【０００４】
【非特許文献】
【考案の概要】
【考案が解決しようとする課題】
【０００５】非磁性体金属研削加工物を磁力チャック面へ迅速かつ確実精密に吸着させる固定金属板で、３枚から構成され角材丸材の何れかと角丸合成形状にも対応します。
昭和６３年当時実用新案登録申請した本考案は、確実性及び機能は優れていて大変好評でしたが、工具としては大変高価で普及が部分的であった事から、安価で基本的理論に新たな工夫を加えて非磁性体研削加工の能率向上に寄与致します。
【課題を解決するための手段】
【０００６】本考案で磁気力の伝達にバネ構造を廃止し、平面吸着からＲ面構造を介し傾斜角の吸着面に至る最終吸着磁気力伝達に工夫した結果、クランプ板の面積を大幅に縮小出来た事で、研削加工物の面積拡大とコストを大幅に削減する事に成功しました。
【考案の効果】
【０００７】非磁性体研削加工物の場合、基準面となる磁力チャック面に正確かつ密着固定する事が困難であり、平行精度を確保出来ない事から、本考案は磁気力チャックと固定板の傾斜角度及びＲ面を応用する事で非磁性体金属の基準面をチャック面に迅速正確に固定し、又加工物形状も角材・丸材から異形材にも３枚の固定板を組み合わせて使用する事で、簡単正確に対応出来ます。本考案の装置使用には熟練、経験の有無は全く必要有りませんが、下記２点の場合使用出来ません。
▲１▼固定面が吸着面に対して鈍角の場合は固定出来ません。
▲２▼クランパーの厚み寸法８ｍｍより固定物厚みが８ｍｍ以下の場合。
【図面の簡単な説明】
【０００８】
【図１】非磁性体加工物を本考案クランパー板で左右より挟み固定初期準備状態を正面より見た断面図です。
【図２】磁力を作動させ非磁性体加工物が磁力で［０００９］の固定理論を経て固定された状態を正面より見た断面図です。
【図３】非磁性体加工物が角材の場合の使用例を上面より見た図です。
【図４】非磁性体加工物が角材以外で丸材及び異形材の場合のクランパー板組合せ使用例を上面よりみた図です。
【図５】非磁性体加工物を本考案クランパーを使用研削加工状態を上面より見た図です。
【図６】非磁性体加工物を本考案クランパーを使用研削加工状態を正面より見た図です。
【固定される理論と過程】
【０００９】磁気チャック上面に本装置（ＭＸクランパーＩＩ）を取り付けた状態１図から
【００１０】磁力を作動させると、最初に平面部分が磁力を受け徐々にＲ面へ支点と力点が移動を開始し、最終的には吸着面の大きい角度面で固定しますが、２図でこの過程を説明しています。支点と力点が平面Ｒ面から角度面に移動する際、固定される非磁性体加工物作用点には、水平方向と垂直方向の分力が同時に作用し加工物を固定します。無論異形材固定も同じ理論です。動作を分析致しますと以上ですが、磁力の作動から完全固定まで時間は、１秒若の瞬時です。
【固定を解除し研削加工を終了するには】
【００１１】非磁性体研削加工物を固定解除するには、１−１図の初期状態で解除です。
【００１２】通常の磁気解除動作と変わらず、磁気チャック自体の残留磁気除去と同時に解除されます。
【図１】
0003202373.tif 000003
【図２】
0003202373.tif 000004
【図３】
0003202373.tif 000005
【図４】
0003202373.tif 000006
【図５】
0003202373.tif 000007
【図６】
0003202373.tif 000008
【手続補正書】
【提出日】平成27年11月2日(2015.11.2)
【手続補正１】
【補正対象書類名】実用新案登録請求の範囲
【補正対象項目名】全文
【補正方法】変更
【補正の内容】
【実用新案登録請求の範囲】
【請求項１】
角材・丸異形材非磁性体金属研削加工物を完全密着させる固定金属板で３枚から構成され、研削加工物の形状により適正な固定金属板２枚を選択し左右から挟み、固定原理は金属板に磁力を印加すると瞬時に磁力作用面に施した、平面・Ｒ面・角度面が支点・力点・作用点の原理に従い非磁性体研削加工物の固定作用面に対して、水平方向と垂直方向の分力が加わる事で完全密着固定され、固定解除にはバネと硬球を一体化したフィットプランジャーにより磁気力ＯＦＦで初期状態となる一連の構造を特徴とする非磁性体クランパー。
(57)【要約】      （修正有）【課題】分解して運搬することができ、破壊されにくい寝板を提供する。【解決手段】寝板は二つの対称的に設置したサポートロッド１を含み、サポートロッドの両側に固定溝があり、固定溝は対称であり、二つの固定溝の間にサポートプレート２を配置してあり、サポートプレートとサポートロッドの間にはボルト３があり、サポートプレートの板面には対称的に二つのバッファ溝２０１を設置してあり、バッファ溝の中にアーチ形のバッファボード２０２がある。【選択図】図１
0003202397.tif 000002
【実用新案登録請求の範囲】
【請求項１】
寝板において、サポートロッドを含み、そのサポートロッドの両側に固定溝があり、二つの固定溝の間にサポートプレートが配置してあり、そのサポートプレートとそのサポートロッドの間にはボルトがあり、そのサポートプレートの板面には二つのバッファ溝が設置してあり、そのバッファ溝の中にアーチ形のバッファボードがあることを特徴とする寝板。
【請求項２】
請求項１に記載の寝板において、その固定溝はそのサポートロッドを貫通することを特徴とする寝板。
【請求項３】
請求項１に記載の寝板において、そのサポートロッドはその固定溝の間は移行合わせであることを特徴とする寝板。
【請求項４】
請求項１に記載の寝板において、そのサポートプレートは木材で、そのサポートプレート板の厚さは8mm-20mmであることを特徴とする寝板。
【考案の詳細な説明】
【技術分野】
【０００１】
本実用新型は寝板に関連する。
【背景技術】
【０００２】
寝板はベッドの枠組みに取り付け、ベッドのマットレスを支持するための重要な部分である。既存の技術では、寝板は大体フラット板とほねぐみ板があり、フラット板のコストが低い、そして取り付けるには便利であるが、既存の技術の中のフラット板はほとんど固定構造であるから、輸送する時、割れることを避けるために、数多くの保護材料を使って包装する必要である。無駄遣い、そして既存の技術では、板の衝撃抵抗力が弱い、よく切れ、寿命が短い。
【考案の概要】
【考案が解決しようとする課題】
【０００３】
本実用新型は解決する必要な問題は一種の寝板を提供することである。この装置はこの装置は分解して運搬することができ、折ることを避け、運送コストを削減すると同時に、この装置はバッファボードを通してマットレスの振動を吸収することができ、破壊されることを避け、使用寿命を延ばせる。
【課題を解決するための手段】
【０００４】
以上の問題を解決するために、本実用新型は以下の技術案を採用した。一種の寝板、二つの対称的に設置したサポートロッドを含め、そのサポートロッドの両側に固定溝があり、その二つサポートロッド固定溝のと対称であり、対称している二つの固定溝の間にサポートプレートを配置してあり、そのサポートプレートとそのサポートロッドの間にはボルトがあり、そのサポートプレート板面には対称的に二つのバッファ溝を設置してあり、そのバッファ溝の中にアーチ形のバッファボードがある。
【０００５】
優秀な技術案として、その固定溝はそのサポートロッドを貫通する。
【０００６】
優秀な技術案として、そのサポートロッドはその固定溝の間は移行合わせである。
【０００７】
優秀な技術案として、そのサポートプレートは木材で、そのサポートプレート板の厚さは8mm-20mm。
【考案の効果】
【０００８】
本実用新型有益な効果は、この装置は分解して運搬することができ、折ることを避け、運送コストを削減すると同時に、この装置はバッファボードを通してマットレスの振動を吸収することができ、破壊されることを避け、使用寿命を延ばせる。この装置の構造は簡単で、コストが低い、使用には便利、普及することに相応しい。
【図面の簡単な説明】
【０００９】
【図１】本実用新型の俯瞰図である。
【図２】サポートロッド側面図である。
【考案を実施するための形態】
【００１０】
これから附図をあわせて本実用新型の優秀な実施例に対して詳しく紹介する、本実用新型のメリットと特徴はこの分野の技術者にもっと簡単に理解されるから、本実用新型の保護範囲をより明白ではっきりに定義できる。
【００１１】
図面１と図面２に示された寝板は二つの対称的に設置したサポートロッド１を含め、そのサポートロッド1の両側に固定溝101があり、その二つサポートロッド1の固定溝101が対称であり、対称している二つの固定溝101の間にサポートプレート2を配置してあり、そのサポートプレート2とそのサポートロッド1の間にはボルト3があり、そのサポートプレート2板面には対称的に二つのバッファ溝201を設置してあり、そのバッファ溝201の中にアーチ形のバッファボード202がある。
【００１２】
本実用新型に一つの好ましい実施例として、その固定溝101はそのサポートロッド１を貫通する。
【００１３】
本実用新型に一つの好ましい実施例として、そのサポートロッド2はその固定溝101の間は移行合わせである。
【００１４】
本実用新型に一つの好ましい実施例として、そのサポートプレート２は木材で、そのサポートプレート2板の厚さは15mm。
【００１５】
本実用新型有益な効果は、この装置は分解して運搬することができ、折ることを避け、運送コストを削減すると同時に、この装置はバッファボードを通してマットレスの振動を吸収することができ、破壊されることを避け、使用寿命を延ばせる。この装置の構造は簡単で、コストが低い、使用には便利、普及することに相応しい。
【００１６】
以上はただ本実用新型の具代的な実施方法であるが、本実用新型の保護範囲はこれだけではない、あらゆる創造性付きな労働でなければ、想像できた変化と取替えは、皆本実用新型の保護範囲以内に属するべきである。だから、本実用新型の保護範囲は権利要求書が限定した保護範囲を基準にするべきである。    
【符号の説明】
【００１７】
1  サポートロッド
2  サポートプレート
3  ボルト
101  固定溝
201  バッファ溝
202  バッファボード
【図１】
0003202397.tif 000003
【図２】
0003202397.tif 000004
【手続補正書】
【提出日】平成27年11月25日(2015.11.25)
【手続補正１】
【補正対象書類名】実用新案登録請求の範囲
【補正対象項目名】全文
【補正方法】変更
【補正の内容】
【実用新案登録請求の範囲】
【請求項１】
寝板において、サポートロッドを含み、そのサポートロッドの両側に固定溝があり、二つの固定溝の間にサポートプレートが配置してあり、そのサポートプレートとそのサポートロッドの間にはボルトがあり、そのサポートプレートの板面には二つのバッファ溝が設置してあり、そのバッファ溝の中にアーチ形のバッファボードがあることを特徴とする寝板。
【請求項２】
請求項１に記載の寝板において、その固定溝はそのサポートロッドを貫通することを特徴とする寝板。
【請求項３】
請求項１に記載の寝板において、そのサポートプレートは木材で、そのサポートプレート板の厚さは8mm-20mmであることを特徴とする寝板。
(57)【要約】      （修正有）【課題】個別指導塾において、教師は左右、前後に素早く移動でき指導し易く、生徒は回りを気にすることなく学習できる個別指導用学習ブースを提供する。【解決手段】生徒用デスク１と、該デスク１を、前面と一側面を覆うＬ字状のパーテーション２、２′と、生徒用椅子３からなるユニットＸを設け、該ユニットＸを、左・右に３ユニットずつ前後方向に並べ、左・右のユニット間に、適宜な幅αの通路Ｙを設け、該通路内に教師用椅子４を設けたことを特徴とする個別指導用学習ブースであり、前記教師用椅子４が、回転可能であり、且つ、キャスターを設けた椅子であることを特徴とする。【選択図】図１
0003202423.tif 000002
【実用新案登録請求の範囲】
【請求項１】
生徒用デスク（１）と、
該デスク（１）を、前面と一側面を覆うＬ字状のパーテーション（２，２′）と、
生徒用椅子（３）からなるユニット（Ｘ）を設け、
該ユニット（Ｘ）を、左・右二列に３ユニットずつ並べ、
左・右のユニット間に、適宜な幅（α）の通路（Ｙ）を設け、
該通路内に教師用椅子（４）を設けた
ことを特徴とする個別指導用学習ブース。
【請求項２】
教師用椅子（４）が、回転可能であり、且つ、キャスターを設けた椅子である
ことを特徴とする請求項１記載の個別指導用学習ブース。
【考案の詳細な説明】
【技術分野】
【０００１】
この考案は、個別指導用学習ブースに関するものである。
【背景技術】
【０００２】
従来、個別指導塾の形態で指導する学習塾においては、各教室とも指導に利用できる空間は限られていた。
【０００３】
しかしながら、そのような空間の限られた中でも圧迫感がなく、周囲に気を使うことなく勉強に集中でき、教師１名に対して複数人の生徒に個別指導が迅速に対応できる有効な個別指導用学習ブースの出現が期待されている。
【０００４】
しかし、複数人対応の個別指導用学習机については、既に本願の考案者が考案した複数人対応型個別指導用学習机が存在している。例えば、特許文献１のように。
【先行技術文献】
【特許文献】
【０００５】
【特許文献１】登録実用新案第３１５５５３９号公報
【０００６】
この考案は、生徒２名が使用する長尺机を用い、隣の生徒が見えないよう間に仕切りを設け、この長尺机を３脚用い、且つコ字状に並べ、コ字状に囲まれた隙間部に教師が位置し、教師からは各生徒は見えるが、生徒は隣の席の生徒が見えにくく構成されたものであり、かなりの好評を得ていた。
【０００７】
しかし、難を言えば、長尺机に着席している生徒は、隣や横に着席した生徒とは仕切りで覆われるが、対向する長尺机の生徒は丸見えであるので、各生徒がより回りに気を使うことなく勉強に集中できる個別指導用学習ブースの開発が望まれている。
【考案の概要】
【考案が解決しようとする課題】
【０００８】
そこで、この考案の課題は、個別指導塾において、教師が左右・前後に素早く移動でき指導し易く、各生徒は回りを気にすることなく学習できる個別指導用学習ブースを開発・提供するものである。
【課題を解決するための手段】
【０００９】
そこでこの考案の個別指導用学習ブースは、
生徒用デスクと、
該デスクを、前面と一側面を覆うＬ字状のパーテーションと、
生徒用椅子からなるユニットを設け、
該ユニットを、左・右二列に３ユニットずつ並べ、
左・右のユニット間に、適宜な幅の通路を設け、
該通路内に教師用椅子を設けた
ことを特徴とする。
【００１０】
また、
教師用椅子が、回転可能であり、且つ、キャスターを設けた椅子である
ことを特徴とする。
【考案の効果】
【００１１】
この考案によると、左・右に３ユニットずつ配置され、それぞれ生徒が生徒用椅子に着席しており、通路に教師用椅子に教師が座り、教師が椅子に座ったままで前後に移動することができることにより、教師１名に対して最大６名の生徒に個別指導を迅速に行なうことができる等の有益なる効果を奏する。
【００１２】
さらに、各生徒用デスクは前面と一側面を覆うＬ字状のパーテーションで覆われているため、各生徒は前を向いて勉強すれば回りに気を使うことなく勉強に集中でき、また、各Ｌ字状のパーテーションは、通路側はそれぞれ開放されており、通路の教師用椅子に座っている教師に迅速に個別指導を受けられる等の効果も奏する。
【図面の簡単な説明】
【００１３】
【図１】この考案の一実施例を示す説明図である。
【考案を実施するための形態】
【００１４】
以下、この考案について詳細に説明する。尚、この考案においては、以下の記述に限定されるものではなく、この考案の要旨を逸脱しない範囲においては適宜変更可能である。
【実施例】
【００１５】
先ず、この考案の一実施例を図１に基づいて詳述すると、生徒用デスク（１）と、該デスク（１）を、前面と一側面を覆うＬ字状のパーテーション（２あるいは２′）と、生徒用椅子（３）からなるユニット（Ｘ）を設け、該ユニット（Ｘ）を、左・右二列に３ユニットずつ前後方向に並べ、左・右のユニット間に、適宜な幅（α）の通路（Ｙ）を設け、該通路内に教師用椅子（４）を設けたことを特徴とする個別指導用学習ブースから構成されるものである。
【００１６】
このように、生徒１名の学習環境内に生徒用デスク（学習机）（１）と、該机（１）を前面と左側面を覆うＬ字状のパーテーション（２）、あるいは、該机（１）を前面と右側面を覆うＬ字状のパーテーション（２′）を設け、各机には生徒用椅子（３）を配置したユニットで構成されており、これらのユニットを通路（Ｙ）を挟んで左右に３ユニットずつ配置して構成するものであり、該通路（Ｙ）には、教師用椅子（４）を配置して、教師が前後に移動することにより、他の生徒の干渉することなく個別指導ができるよう構成したものである。
【００１７】
そして、前面と左側面を覆うＬ字状のパーテーション（２）、あるいは、前面と右側面を覆うＬ字状のパーテーション（２′）は、それぞれ、生徒用デスク（１）の前面並びに、一側面（左または右）は覆われており、生徒の視界を遮っており、学習に集中できるものであり、また、それぞれ他側面が開放されているため、教師と自由に個人指導を受けるよう構成されている。
【００１８】
また、前記通路（Ｙ）は、適宜な幅（α）、即ち，教師が教師用椅子（４）に座りながら移動可能な幅寸法を設け、容易に移動可能であり、前記教師用椅子（４）は、脚部（図示せず）と座部（図示せず）とは３６０°回転可能な構造を有し、且つ、脚部はキャスターを設け前後移動が可能な椅子である。
【産業上の利用可能性】
【００１９】
この考案の個別指導用学習ブースの技術を確立し、実施することにより、産業上利用できるものである。
【符号の説明】
【００２０】
１  生徒用デスク
２，２′Ｌ字状のパーテーション
３  生徒用椅子
４  教師用椅子
Ｘ  ユニット
Ｙ  通路
α  幅
【図１】
0003202423.tif 000003
(57)【要約】      （修正有）【課題】花火製品をより製造しやすく、製品コストを低減させる紙筒式線香花火を提供する。【解決手段】火薬筒を含む紙筒式線香花火であって前記火薬筒は、紙を巻きつけてなる中空直線筒である。当該中空直線筒は、上部に点火薬２１が充填されており、下部が燃焼阻止用の底栓２３として設けられて手持ち棒も兼ねる。点火薬２１と底栓２３との間の前記中空直線筒内は、花火効果薬２２が充満している。【選択図】図２
0003202432.tif 000002
【実用新案登録請求の範囲】
【請求項１】
火薬筒を含む紙筒式線香花火であって、
前記火薬筒は、紙を巻きつけてなる中空直線筒であり、
当該中空直線筒は、上部に点火薬が充填されており、下部が燃焼阻止用の底栓として設けられて手持ち棒も兼ね、
点火薬と底栓との間の前記中空直線筒内は、花火効果薬が充満していることを特徴とする紙筒式線香花火。
【請求項２】
請求項１に記載の紙筒式線香花火であって、
前記中空直線筒の先端に設けられて点火薬と接触する点火紙をさらに含むことを特徴とする紙筒式線香花火。
【請求項３】
請求項１又は２に記載の紙筒式線香花火であって、
前記中空直線筒の外面には、装飾層がさらに設けられていることを特徴とする紙筒式線香花火。
【考案の詳細な説明】
【技術分野】
【０００１】
本考案は、花火製品に関し、特に紙筒式線香花火に関する。
【背景技術】
【０００２】
線香花火は、外形が線香に類似し、手持ちで上げる花火である。線香花火は、主に点火紙、火薬筒、手持ち棒などの部分から構成される。ここで、点火紙は、火薬筒の上端に設けられ、手持ち棒は、火薬筒の下端に固定される。火薬筒内において、点火紙と接触する箇所には、少量の点火薬が充填され、手持ち棒と接触する箇所には、通常石膏が充填されて燃焼遮断作用を有する底栓を形成し、筒内のほかの部分は、花火効果薬である。火薬筒の外面は、装飾用の外観紙が被覆されている。
【０００３】
このような構造の従来の線香花火は、花火の意匠性保証のために、生産の際に、火薬筒の外部での外観紙被覆、点火紙の粘着、内部包装紙の粘着などの工程を行う必要があり、しかも火薬筒と手持ち棒が離間するため、竹ひご、木柱などを手持ち棒とする必要がある。これにより、生産工程が多くなり、原材料の消費量が大きくなり、人的及び資金コストが高くなる。
【０００４】
よって、従来の線香花火は、構造が合理的ではなく、改良が必要である。
【考案の概要】
【考案が解決しようとする課題】
【０００５】
本考案は、上述の事情に鑑みてなされたものであって、構造上より合理的な紙筒式線香花火を提供することにより、花火製品をより製造しやすく、製品コストを低減させる。
【課題を解決するための手段】
【０００６】
上記の技術問題を解決するために、本考案は、その技術案が以下である。
火薬筒を含む紙筒式線香花火であって、前記火薬筒は、紙を巻きつけてなる中空直線筒であり、当該中空直線筒は、上部に点火薬が充填されており、下部が燃焼阻止用の底栓として設けられて手持ち棒も兼ね、点火薬と底栓との間の前記中空直線筒内は、花火効果薬が充満している。
【０００７】
前記紙筒式線香花火は、前記中空直線筒の先端に設けられて点火薬と接触する点火紙をさらに含む。
【０００８】
前記中空直線筒の外面には、装飾層がさらに設けられている。
【考案の効果】
【０００９】
本考案の利点は、以下である。
紙製の中空直線筒で火薬筒と手持ち棒の両方を兼用することにより、従来の線香花火の手持ち棒用の竹ひご又は木柱を除去し、製品の生産過程における点火紙の巻き付け、花模様の仕上がりなどの工程を省く。また、巻き付けた紙に対して直接印刷して紙製の中空直線筒の外面の装飾とすることができるために、装飾専用のじんぴ繊維紙を節約することができる。さらに、点火紙を用いて口封じと花火点火を行うことにより、製品の意匠性をさらに高めることができる。構造が簡単であり、合理的であり、線香花火の製造工程を簡単化し、人的コストと原材料の消費を減少させ、製品の意匠性を向上させる。
【図面の簡単な説明】
【００１０】
【図１】本考案の外観構造を示す模式図である。
【図２】本考案の断面構造を示す模式図である。
【図３】本考案の中空直線筒を示す模式図である。
【考案を実施するための形態】
【００１１】
本考案の上記目的、特徴及び利点をより明らかにし、理解しやすくするために、以下、図面を参照しつつ、本考案の具体例である実施形態についてさらに説明する。
【００１２】
実施例
図１〜図３に示すように、火薬筒を含む紙筒式線香花火において、前記火薬筒は、紙を巻きつけてなる中空直線筒２であり、当該中空直線筒２は、上部に点火薬２１が充填されており、下部が燃焼阻止用の底栓２３として設けられて手持ち棒も兼ね、点火薬２１と底栓２３の間の前記中空直線筒２内は、花火効果薬２２が充満している。
【００１３】
花火製品の実際要求によると、中空直線筒２は、内径が約２．５ｍｍ〜１０ｍｍであり、中空である。中空直線筒２の底部は、石膏粉末又は泥が充填されることにより、燃焼阻止作用を有する底栓２３を形成し、しかも、花火を上げる際の手持ち箇所、即ち手持ち棒を兼用する。中空直線筒２の中部には、花火効果薬２２が充填されている。中空直線筒２の上部は、花火効果薬２２を点火させるための点火薬２１が充填されて口封じされる。
【００１４】
さらに、印刷しておいた紙を中空直線筒２に巻きつけ、又は、印刷しておいたじんぴ繊維紙をのりで中空直線筒２の外面に粘着させることにより、中空直線筒２の外面に設けられる装飾層２４を形成する。花火製品の意匠性を高めるために、前記中空直線筒２の上端にカラーの点火紙１をさらに粘着させてもよい。当該点火紙１は、点火薬２１と接触し、装飾用及び花火点火用のものである。
【００１５】
本考案は、紙製の中空直線筒２で火薬筒と手持ち棒の両方を兼用することにより、従来の線香花火の手持ち棒用の竹ひご又は木柱を除去し、製品の生産過程における点火紙１の巻き付け、花模様の仕上がりなどの工程を省く。また、巻き付けた紙に対して直接印刷して紙製の中空直線筒２の外面の装飾とすることができるために、装飾専用のじんぴ繊維紙を節約することができる。点火紙１を用いて口封じと花火点火を行うことにより、製品の意匠性をさらに高めることができる。構造が簡単であり、合理的であり、線香花火の製造工程を簡単化し、人的コストと原材料の消費を減少させ、製品の意匠性を向上させる。
【００１６】
以上列挙した詳細な説明は、本考案の実施可能な実施例に関する説明である。これらの実施の形態は、本考案の範囲を限定するためのものではない。本考案を逸脱せずに為した同等効果を奏する形態又は変更は、いずれも本願の考案の範囲内に含まれるべきである。
【符号の説明】
【００１７】
１：点火紙
２：中空直線筒
２１：点火薬
２２：花火効果薬
２３：底栓
２４：装飾層
【図１】
0003202432.tif 000003
【図２】
0003202432.tif 000004
【図３】
0003202432.tif 000005
(57)【要約】      （修正有）【課題】クラゲの被害は、現代での電力需要に阻害する大きな一因でありその解決方法はクラゲを死滅させるしかないとされる。そのために親クラゲを死滅させ子供も死滅削減する装置を提供する。【解決手段】取水口より取水する海水中のクラゲを破砕する破砕式ポンプ１と、破砕式ポンプ１により破砕したクラゲを破砕屑と清浄海水に分離する自動逆洗式こしき２とを備えた装置において、自動逆洗式こしき２により分離した清浄海水が通過する清浄海水通路に、水中のプランクトン及びクラゲの幼生等の混入生物に電気ショックを与えて細胞膜を破壊させる微弱電力が加電された電極対３を設けた。【選択図】図１
0003202500.tif 000002
【実用新案登録請求の範囲】
【請求項１】
取水した海水中のクラゲを破砕、攪ハン、混合することにより微細化した後、自動逆洗装置によりクラゲ微細片を分離除去する装置の清浄海水通路にチタン金網に酸化イリジュウムまたはチタンメツキを施した高級金属の電極対を設けてこれに微弱電力を加えて水中のプランクトン及びクラゲの幼生等の混入生物に電気シヨツクを与えて細胞膜を破壊させることで完全死滅することを特徴とする装置。
【考案の詳細な説明】
【技術分野】
【０００１】本発明は発電所取水口近傍のクラゲまたは船舶の取水口に混入するクラゲを低コストで効率的に捕獲し完全死滅させて放出するための装置に関する。
【背景技術】
【０００２】従来よりクラゲによる被害として冷却水取水口を塞ぎ取水量を低下させることが問題とされていた。これを解決する為、クラゲの子供ポリプなどが死滅されずに放出されていたのを、電気的に完全死滅することでクラゲの大発生を減少させることが要求されていた。
【先行技術文献】
【特許文献】
【０００３】
【特許文献１】特許第４０３２９７０号
【特許文献２】特許第３７４０５６２号
【非特許文献】
【非特許文献】特許第２１１４４９１号
【０００４】
【非特許文献１】
【非特許文献２】
【考案の概要】
【考案が解決しようとする課題】
【０００５】クラゲの親が産出する受精卵がプラムラよりポリプに変態するが、これを水槽で観察すると１ｍ２あたり４０万個体がＰＣ板に着底が電子顕微鏡で確認されているように、クラゲの被害減少させるのが極めて困難である。
【課題を解決するための手段】
【０００６】本発明はこのような従来技術の問題点に着目してなされたものであって、クラゲを破砕、攪ハン、混合して自動逆洗装置で清浄海水としても受精卵は死滅されていないので、冷却水として使用後に海水中にプラヌラからポリプとなることを防除できるのである。
【考案の効果】
【０００７】本発明はプラヌラとポリプが単細胞であるのでこれの細胞膜を破壊する為の微弱電力を電極対に加電して完全死滅したものを海水中に放出することでクラゲの大発生を防除する効果が生じる。
【図面の簡単な説明】
【０００８】
【図１】
【考案を実施するための形態】
【０００９】海面に浮上する船舶の取水口より吸引する海水中のクラゲまたは発電所冷却海水の取水口を塞ぐクラゲを破砕式ポンプにより破砕したクラゲを自働逆洗式こしきにより分離して清浄海水とした後電極対を通過させて清浄海水中の微細なクラゲの卵，プラヌラとポリプ等の単細胞が海面に排出される以前に完全死滅するように電極対間で電力により死滅して防除するものである。
【実施例】
【００１０】船舶上の海水取水口から吸引したクラゲは、破砕式ポンプより自働逆洗式こしきを経由して清浄海水と破砕屑に分割される。清浄海水にはプラヌラポリプ等の微笑なクラゲの子供がいるので、これらを完全に死滅させるには電極対を通過させて電力によりこれらの単細胞を死滅させて排出することでクラゲの大発生を防除できる。
【産業上の利用可能性】
【００１１】１・発電所の冷却海水ラインに設備すると産業廃棄物となるクラゲも自働的にラインから取り出すことなく自然に海面に戻すことができるのでクラゲの腐敗した悪臭での周辺地域の公害が未然に防止できて廃棄費用もなくする効果が大きい。
２・船舶の停泊中に進入するクラゲの冷却配管中に設備すれば、冷却水不足による発電力低下による故障などから解放される。
３・クラゲの大発生による漁業資源の食害など防止できて漁業者の理解と協力が得られる。
【符号の説明】
【００１２】１・破砕ポンプ
２・自働逆洗式こしき
３・電極対
【図１】
0003202500.tif 000003
【手続補正書】
【提出日】平成27年11月2日(2015.11.2)
【手続補正１】
【補正対象書類名】実用新案登録請求の範囲
【補正対象項目名】全文
【補正方法】変更
【補正の内容】
【実用新案登録請求の範囲】
【請求項１】
取水口より取水する海水中のクラゲを破砕する破砕式ポンプと、破砕式ポンプにより破砕したクラゲを破砕屑と清浄海水に分離する自動逆洗式こしきとを備えた装置において、自動逆洗式こしきにより分離した清浄海水が通過する清浄海水通路に、水中のプランクトン及びクラゲの幼生等の混入生物に電気ショックを与えて細胞膜を破壊させる微弱電力が加電された電極対を設けたことを特徴とするクラゲ除去装置。
【手続補正２】
【補正対象書類名】明細書
【補正対象項目名】０００８
【補正方法】変更
【補正の内容】
【０００８】
【図１】  図１は、本考案を実施するためのクラゲ除去装置である。
(57)【要約】      （修正有）【課題】ごみの出し入れを容易にし、後掃除もし易く、ごみネット枠の移設収納も容易にできるごみネット枠の構造を提供する。【解決手段】ヒンジピン受け付き枠１の両側下部２カ所にヒンジピン受け部２を設け、ピン受けの下は落とし込み穴に、落とし込む様に杭部３を設け、ごみネット張り枠４、５、６、の下部両端に設けられたヒンジピン孔７、とピン受け部２、をヒンジピン、で回動可能に締結されネット張り枠それぞれの間隔セット用紐、で間隔をセットし、ごみネット１０、で覆いネットずれ止めバンド１１、で止める様に構成された。【選択図】図２
0003202499.tif 000002
【実用新案登録請求の範囲】
【請求項１】
ヒンジピン受け付き枠（１）の両側下部２カ所にヒンジピン受け部（２）を設け、ピン受けの下は落とし込み穴に、落とし込む様に杭部（３）を設け、ごみネット張り枠（４）、（５）、（６）、の下部両端に設けられたヒンジピン孔（７）、とピン受け部（２）、をヒンジピン（８）、で組付けて、ごみネット張り枠をヒンジピン部（７）、で回動可能に締結され、ネット張り枠それそれの間隔セット用紐８、で間隔をセットし、ごみネット９、で覆い、ネットずれ止めバンド１０、で止める様に構成された構造。
【考案の詳細な説明】
【技術分野】
【０００１】本考案はごみ収集場所のごみネットに関する物である。
【背景技術】
【０００２】ゴミ収集場所でのゴミの出し入れがしにくくマナーの悪さも重なって、町の美観を損なっている所が多い
【先行技術文献】
【０００３】
【特許文献１】特許公開番号：２０１１−１４０３９３
【特許文献２】登録実用新案：第３０９６５９５号
【考案の概要】
【考案の解決しょうとする課題】
【０００４】ごみの出し入れを容易にし、後掃除もし易く、ごみネット枠の移設収納も容易に出来ること。
【課題を解決するための手段】
【０００５】ネットをはぐり易くごみを入れ易く、囲い易く、ゴミを置かない時は、ごみネット枠が場所を取らない様にする。
【考案の効果】
【０００６】本考案のピン受け付き枠とごみネット張り枠の組み合わせで、ゴミの出し入れが容易になり、ごみネット枠そのものの移設収納が容易になる。
【図面の簡単な説明】
【０００７】
【図１】  使用時の正面図
【図２】  使用時の側面図
【図３】  休止時の正面図
【図４】  休止時の側面図
【図５】  ごみを囲った時の断面図
【図６】  取付け場所が固い時の穴のみの図
【図７】  取付け場所が柔らかい時のパイプ埋め込み穴の図
【図８】  ピン受け付き枠の図
【図９】  ネット張り枠の図
【図１０】  ネット張り枠の図
【図１１】  ネット張り枠の図
【考案を実施するための形態】
【０００８】以下、本考案の実施の形態について、図面を参照して詳細に説明する。
［図８］の、ヒンジピン受け付き枠（１）の両端下部にピン受け部（２）に［図９］、［図１０］、［図１１］、のごみネット張り枠（４）、（５）、（６）のヒンジピン受け孔（７）、を合せてヒンジピン（８）で回動可能な様に締結し、ごみネット（１０）を張る前に間隔セット用紐（９）でごみネット張り枠（４）、（５）、（６）、の間隔をセットし次にごみネット（１０）で覆いごみネットがずれないように、ネットずれ止めバンド（１１）、にて止め［図１］、［図２］の様に組立て、［図６］、又は［図７］の落とし込み穴を据付位置に明け、この穴に落とし込む
【符号の説明】
【０００９】  （１）    ヒンジピン受け付き枠
（２）    ヒンジピン受け部
（３）    杭部
（４）    ごみネット張り枠
（５）    ごみネット張り枠
（６）    ごみネット張り枠
（７）    ヒンジピン受け孔
（８）    ヒンジピン
（９）    間隔セット紐
（１０）  ごみネット
（１１）  ネットずれ止めバンド
【図１】
0003202499.tif 000003
【図２】
0003202499.tif 000004
【図３】
0003202499.tif 000005
【図４】
0003202499.tif 000006
【図５】
0003202499.tif 000007
【図６】
0003202499.tif 000008
【図７】
0003202499.tif 000009
【図８】
0003202499.tif 000010
【図９】
0003202499.tif 000011
【図１０】
0003202499.tif 000012
【図１１】
0003202499.tif 000013
【図１２】
0003202499.tif 000014
【図１３】
0003202499.tif 000015
【手続補正書】
【提出日】平成27年10月29日(2015.10.29)
【手続補正１】
【補正対象書類名】実用新案登録請求の範囲
【補正対象項目名】全文
【補正方法】変更
【補正の内容】
【実用新案登録請求の範囲】
【請求項１】
ヒンジピン受け付き枠（１）の両側下部２カ所にヒンジピン受け部（２）を設け、ピン受けの下は落とし込み穴に、落とし込む様に杭部（３）を設け、ごみネット張り枠（４）、（５）、（６）、の下部両端に設けられたヒンジピン孔（７）、とピン受け部（２）、をヒンジピン（８）、で回動可能に締結されネット張り枠それぞれの間隔セット用紐（９）、で間隔をセットし、ごみネット（１０）、で覆いネットずれ止めバンド（１１）、で止める様に構成された構造。
【手続補正２】
【補正対象書類名】明細書
【補正対象項目名】０００７
【補正方法】変更
【補正の内容】
【０００７】
【図１】  使用時の正面図
【図２】  使用時の側面図
【図３】  休止時の正面図
【図４】  休止時の側面図
【図５】  ごみを囲つた時の断面図
【図６】  取付け場所が固い時の穴のみの図
【図７】  取付け場所が柔らかい時のパイプ埋め込み穴の図
【図８】  ピン受け付き枠の図
【図９】  ネット張り枠の図
【図１０】  ネット張り枠の図
【図１１】  ネット張り枠の図
【図１２】  ヒンジピンの図
【図１３】  ヒンジピンの図
(57)【要約】      （修正有）【課題】着装時の着物の衣紋位置が前に詰まってこないように固定することができる着付け小物及び着付け小物セットを提供する。【解決手段】長襦袢の衿に逆三角形の布地１を縫い付け、それの下位置のゴムの輪３にヒモを通し、そのヒモ先を長襦袢の脇穴から中に入れ身体の前で結ぶ事により、長襦袢の衣紋の位置を固定する事ができる。【選択図】図１
0003202497.tif 000002
【実用新案登録請求の範囲】
【考案の詳細な説明】
【技術分野】
【０００１】本考案は、着物着装の際に衿の後ろ（衣紋）が前に詰まってきてしまう不具合を解決するため長襦袢の衿に縫い付け使用する「衣紋位置を下げる働きをする布地」と「その衣紋位置を固定する働きをするヒモ」をセットで使用することで効果を発揮する着付け用の小物である。
【背景技術】
【０００２】従来の衣紋の位置を固定するための着付け用小物は衣紋位置を固定する効果が充分ではないため、着物を着装時に着くずれの原因となっていた。
【考案の概要】
【考案が解決しようとする課題】
【０００３】従来の衣紋位置を固定するための着付け小物では、固定力を強め着くずれを防止するための手段として、より強く身体にヒモを締め付ける必要があった。
締めつける力が強いほど苦しいので、使用者もそうならない程度でしかヒモを締めない為、結果として充分に効果が得られる事なく「衣紋位置を固定する」という本来の機能が確実になされていなかった。
【課題を解決するための手段】
【０００４】衣紋位置を固定する力を損なわず締め付けによる身体への負担を軽減するためにヒモの一部にゴムを使用。また、ヒモを長襦袢の脇穴から中に通し身体の前中心で結ぶという、衣紋位置をより固定できる使用方法にあわせてそれに適したヒモの長さと太さにした。
衣紋位置を引き下ろすための布は、衣紋が美しく形作られるよう逆三角形にし、またヒモを通す部分をゴムにすることで、より身体の動きに添い着くずれを防止できるようにした。
【考案の効果】
【０００５】部分的にゴムを使用した事で、身体を締め付けず衣紋位置をしっかり固定することができる。衣紋を下げるための布を逆三角にした事で衣紋の形状が美しく、かつヒモを通す部分がゴムなので、着装後時間が経っても着物が身体の動きに添い着くずれしにくくなる。また、長襦袢の段階で衣紋の位置がしっかりと固定できたことで着付けが簡単に楽になる。
【図面の簡単な説明】
【０００６】
【図１】  衣紋位置を下げる働きをする布地の平面図
【図２】  衣紋位置を固定する働きをするヒモの平面図
【考案を実施するための形態】
【０００７】長襦袢衿（表地、衣紋の後中心）に逆三角形の「衣紋位置を下げる働きをする布地」［図１］を縫い付け、それの下位置ゴムの輪に「衣紋位置を固定する働きをするヒモ」［図２］を通し、そのヒモ先を長襦袢の脇穴から身頃の中に通し入れ身体の前中心で結ぶ事により、長襦袢衿の衣紋位置を固定する。
【符号の説明】
【０００８】１  衣紋位置を下げる働きをする布地本体。
２  生地が変形するのを防ぐ、バイアステープ補強部分。
３  衣紋位置を固定するためのヒモを通すためのゴムの輪部分。
４  ‐▲１▼▲２▼▲３▼  長襦袢に縫い付ける目印線。（身長に合わせて縫い位置を変える）
５  衣紋位置を固定する働きをするヒモの、布ヒモ使用の箇所。
６  衣紋位置を固定する働きをするヒモの、ゴムヒモ使用の箇所。
【図１】
0003202497.tif 000003
【図２】
0003202497.tif 000004
【手続補正書】
【提出日】平成27年8月10日(2015.8.10)
【手続補正１】
【補正対象書類名】実用新案登録請求の範囲
【補正対象項目名】全文
【補正方法】変更
【補正の内容】
【実用新案登録請求の範囲】
【請求項１】
＜着付け小物Ａ＞について
長襦袢に縫い付ける「衣紋位置を下げる働きをする布地の逆三角形の形」と、その布地に「衣紋位置を固定する働きをするヒモを通す部分にゴムを使用している」点。
【請求項２】
＜着付け小物Ｂ＞について
「衣紋位置を固定する働きをするヒモの一部にゴムを使用している」点。
【請求項３】
「着付け小物ＡおよびＢをセットで使用する」事で、着物を着つけた際に衣紋の位置が固定できる効果を得られる点。
【手続補正書】
【提出日】平成27年11月18日(2015.11.18)
【手続補正１】
【補正対象書類名】実用新案登録請求の範囲
【補正対象項目名】全文
【補正方法】変更
【補正の内容】
【実用新案登録請求の範囲】
【請求項１】
長襦袢に縫い付けられ、衣紋位置を下げる働きをする逆三角形の布地からなり、その布地の下部に衣紋位置を固定する働きをするヒモを通すためのゴムの輪が設けられたことを特徴とする着付け小物。
【請求項２】
衣紋位置を固定する働きをするヒモからなり、当該ヒモは布ヒモとゴムヒモとを繋ぎ合わせて構成されていることを特徴とする着付け小物。
【請求項３】
請求項１に記載された着付け小物と請求項２に記載された着付け小物のセットであって、請求項１に記載された着付け小物の下部に設けられたゴムの輪に、請求項２に記載された着付け小物が通されることを特徴とする着付け小物セット。
(57)【要約】【課題】本考案は、食用油濾過装置の濾過器において、濾過器を構成するタンクとこのタンクの開口部を閉塞する上蓋の隙間から、油が漏れ出ないよう密閉するクランプ機構を提供する。【解決手段】クランプ機構３は、上蓋の外形に倣い且つこの上蓋の外周の約３分割長さを持った左アーム３２と、中アーム３３と、右アーム３４と、各々のアームを回動自在に連結するアーム連結軸３５からなり、左アームの自由端には、接続手段３１が接続手段連結軸３１ｃで回動自在に連結される。【選択図】図２
0003202408.tif 000002
【実用新案登録請求の範囲】
【請求項１】
円筒形の濾過器内にロール型のフィルターを配し、上方から使用済みの食用油を圧入してフィルターを通し循環濾過する食用油濾過装置おいて、濾過器を構成するタンクとタンク上蓋を閉塞するクランプ機構は、上蓋の外周に倣い且つこの上蓋の外周の約２分割乃至３分割長さのアームを備え、各アームは上蓋の縁部とタンク本体の開口縁部とを、側方から同時に抱え込み、アームの終端には終端同士を近接させて互いに締め込む接続手段からなる食用油濾過器の上蓋クランプ機構。
【考案の詳細な説明】
【技術分野】
【０００１】  本考案は、揚げ物を調理する際に生じた揚げカスを除去する食用油濾過装置に係り、より詳しくは、濾過装置に組み込まれる濾過器の上蓋を閉塞するクランプ機構に関するものである。
【背景技術】
【０００２】  例えばフライヤーから回収された使用済み食用油を、ポンプで濾過器に圧入し、濾過器内のロール型フィルターを通して循環濾過する食用油濾過装置が公知である。
【先行技術文献】
【特許文献】
【０００３】
【特許文献１】実登３０８６７８０号公報
【考案の概要】
【考案が解決しようとする課題】
【０００４】  上記特許文献１に開示された食用油濾過装置の濾過器は、上部に開口部を有するドラムＡ（所謂タンク）と、このタンク内に設けられたロール型のフィルターＦと、このタンクの開口部を閉塞する押圧蓋７とで構成されている。【０００５】  しかしながら前記の押圧蓋７は、ポンプＰの圧力がフィルターＦの浸透圧より小さい場合は開かないが、フィルターＦが揚げカスで目詰まりした場合には、濾過性能が低下してタンク内圧が高まるため押圧蓋７が上方へ押し戻され、押圧蓋７とタンク上部の開口部隙間から油が溢れだす欠点があった。【０００６】  本考案は、以上のような従来の欠点に鑑み、タンク内圧が高まっても押圧蓋が開かないようクランプ機構で閉塞可能な、食用油濾過装置の濾過器を提供する事を目的としている。
【課題を解決するための手段】
【０００７】  上記目的を達成するために、本考案における上蓋クランプ機構は、上蓋の外形に倣い且つこの上蓋の外周の約２分割乃至約３分割長さのアームを備え、各アームは上蓋の縁部とタンク本体の開口縁部とを側方から同時に抱え込み、アームの終端には終端同士を近接させて互いに締め込む接続手段で構成している。
【考案の効果】
【０００８】  本考案による上蓋クランプ機構によれば、タンクの開口部と上蓋との閉塞気密性が向上するので、フィルターが目詰まりしても上蓋が押し戻されることがないので、油漏出が防げる。
【図面の簡単な説明】
【０００９】
【図１】本考案の食用油濾過器の上蓋クランプ機構の実施例である。
【図２】本考案の食用油濾過器の上蓋クランプ機構の他実施例である。
【図３】特許文献１に開示された食用油濾過装置の全体構成図である。
【考案を実施するための形態】
【００１０】  図１〜図３を参照して、本考案の実施形態について説明する。図１、図２において、濾過器はタンク１と上蓋２で構成されている。タンク１には図示しない上部開口部から、図示しないフィルターが収納され、前記フィルター上面から油が注入される注入口１１がある。上蓋２は、図３の従来例に示した押圧蓋と同じ構造としている。
【００１１】  クランプ機構３は、上蓋の外形に倣い且つこの上蓋の外周の約３分割長さを持った左アーム３２と、中アーム３３と、右アーム３４と、各々のアームを回動自在に連結するアーム連結軸３５からなる。左アームの自由端には、接続手段３１が接続手段連結軸３１ｃで回動自在に連結される。また右アーム３４の自由端には、タンク１と上蓋２をクランプする接続手段３１のクランプ係合螺子３１ｂが嵌まる、留め具引掛け溝３４ａが設けられている。
【００１２】  図１に示す接続手段３１は、蝶ナット３１ａと前記蝶ナット３１ａに螺子止めされるクランプ係合螺子３１ｂで構成され、これらは左アーム３２の自由端に接続手段連結軸３１ｃにより回動自在に軸着される。
【００１３】  図２に示す接続手段３１は他の実施例を示す。螺子による締め込み式に代えてワンタッチファスナー式にした。本実施例の接続手段は、レバー３１ｄとクランプ係合螺子３１ｂとを繋ぐレバー連結竿３１ｅと、前記レバー連結竿３１ｅの胴体中に挿し込まれた掛け金３１ｆで構成され、これらは左アーム３２の自由端に接続手段連結軸３１ｃにより回動自在に軸着される。
【産業上の利用可能性】
【００１４】  本考案の食用油ろ過装置は、食品工場やレストラン等で各種揚げものを調理する食品製造業界で利用され、使用済み食用油を回収して再使用できると共に、廃棄量を削減して環境保全に寄与できる。
【符号の説明】
【００１５】１      ろ過器タンク
２      ろ過器上蓋
３      クランプ機構
１１    油注入口
３１    接続手段
３１ａ  蝶ナット
３１ｂ  クランプ係合螺子
３１ｃ  接続手段連結軸
３１ｄ  レバー
３１ｅ  レバー連結竿
３１ｆ  掛け金
３２    左アーム
３３    中アーム
３４    右アーム
３４ａ  留め具引掛け溝
３５    アーム連結軸
【図１】
0003202408.tif 000003
【図２】
0003202408.tif 000004
【図３】
0003202408.tif 000005
(57)【要約】      （修正有）【課題】携帯性と利便性に優れたファイルカバーを提供する。【解決手段】複数枚の一端開口の袋体をそれらの一側縁で綴じて束ねた本体と、この本体を挟む表表紙及び裏表紙とを備えた冊子の表表紙及び裏表紙の外面を覆うファイルカバー１において、１枚のシートをその中間部で半割りし、シートの両端部を表表紙及び裏表紙の夫々一部を嵌合する袋状に形成し、ファイルカバー１が装着された冊子を持つための持ち手２を、シートの半割り部の外面に取付ける。更に、シートの表表紙に対応する部分又は裏表紙に対応する部分に冊子及びファイルカバー１をまとめて結束する弾性バンド３を取付ける。 【選択図】図１
0003202410.tif 000002
【実用新案登録請求の範囲】
【請求項１】
複数枚の一端開口の袋体をそれらの一側縁で綴じて束ねた本体と、この本体を挟む表表紙及び裏表紙とを備えた冊子の前記表表紙及び裏表紙の外面を覆うファイルカバーにおいて、
１枚のシートをその中間部で半割りし、前記シートの両端部を前記表表紙及び裏表紙の夫々一部を嵌合する袋状に形成しており、前記カバーが装着された前記冊子を持つための持ち手を、前記シートの半割り部の外面に取り付けたことを特徴とするファイルカバー。
【請求項２】
前記シートの前記表表紙に対応する部分又は前記裏表紙に対応する部分に固定され、前記冊子及び前記カバーをまとめて結束する弾性バンドを有することを特徴とする請求項１に記載のファイルカバー。
【考案の詳細な説明】
【技術分野】
【０００１】
この考案は、複数枚の一端開口の袋体をそれらの一側縁で綴じて束ねた本体と、この本体を挟む表表紙及び裏表紙とを備えた冊子の前記表表紙及び裏表紙の外面を覆うファイルカバーにおいて、１枚のシートをその中間部で半割りし、前記シートの両端部を前記表表紙及び裏表紙の夫々一部を嵌合する袋状に形成して、前記カバーが装着された前記冊子を持つための持ち手を、前記シートの半割り部の外面に取り付けることを特徴とする、携帯性と利便性に優れたファイルカバーに関するものである。
【背景技術】
【０００２】
従来、ファイルを保護するカバーはあまり流通しておらず、また、代替え品として考えられるブックカバーも、本を保護することを目的とするものである。
【先行技術文献】
【特許文献】
【０００３】
【特許文献１】実開平７−３７６５８公報
【考案の概要】
【考案が解決しようとする課題】
【０００４】
従来、ファイルを保護するためのカバーはあまり流通しておらず、またファイルの持ち歩きの際は、かばん等に入れる必要があった。本考案は、かばん等を要することなくファイルを携帯し、且つファイルを保護するものである。
【課題を解決するための手段】
【０００５】
複数枚の一端開口の袋体をそれらの一側縁で綴じて束ねた本体と、この本体を挟む表表紙及び裏表紙とを備えた冊子の前記表表紙及び裏表紙の外面を覆うファイルカバーにおいて、１枚のシートをその中間部で半割りし、前記シートの両端部を前記表表紙及び裏表紙の夫々一部を嵌合する袋状に形成して、前記カバーが装着された前記冊子を持つための持ち手を、前記シートの半割り部の外面に取付ける。更に、前記シートの前記表表紙に対応する部分又は前記裏表紙に対応する部分に、前記冊子及び前記カバーをまとめて結束する弾性バンドを取付ける。
本考案は以上の構成よりなる、携帯性と利便性に優れたファイルカバーである。
【考案の効果】
【０００６】
ファイルカバーに持ち手を取付けることで、ファイルを収納するかばん等を要することなく、手に直に持って歩くことが可能となり、更に、手元に所持することで、かばんを開けて中から取り出すという行為なく、容易にファイルの中身することを見ることが出来る。
【考案を実施するための形態】
【０００７】
以下、本考案を実施するための形態について説明する。
図１において、
１枚のシートをその中間部で半割りし、前記シートの両端部を、複数枚の一端開口の袋体をそれらの一側縁で綴じて束ねた本体と、この本体を挟む表表紙及び裏表紙とを備えた冊子の表表紙及び裏表紙の夫々一部を嵌合する袋状に形成したファイルカバー（1）に、前記ファイルカバーが装着された前記冊子を持つための持ち手（2）を、前記シートの半割り部の外面に取り付ける。
前記シートの前記表表紙に対応する部分又は前記裏表紙に対応する部分に前記冊子及び前記カバーをまとめて結束する弾性バンド（3）を取付ける。
弾性バンドは、前記冊子が開く側の際より、5ｃｍ程度離れた位置への取付けが、使い勝手が良く望ましい。
図２において、
前記冊子の、表表紙の先端及び裏表紙の先端部を嵌め込む１対の嵌合部において、嵌合部の面積は、表表紙及び裏表紙の面積に対して７割程度であることが、前記冊子が外れることなく、また、前記冊子への装着の容易さにおいて適当である。
図３において、
持ち手は、その素材に、デザイン性に優れた皮や合皮を用いる他、綿などの素材のテープ状の持ち手を用いても良い。テープ状のものは可変性に優れ、持ち手部分がコンパクトに折りたためるため、手に持っても、かばんに収納しても良いという利点がある。 
図４において、
持ち手は前記表表紙裏表紙の２つではなく、背表紙に１つ取り付けることも可能であり、従ってより軽量化が図られる。 
持ち手が付いたカバーをファイルに装着することで、かばん等に収納することなく、ファイルを保護しながら持ち歩くことが出来る携帯性と、見たい時にすぐ手に取って見られるという利便性を兼ね備えている。 
（実施例）旅行の際、パンフレットを入れたファイルに、ファイルカバーを装着すると、ファイルをかばんに収納することなく、携帯することが出来る上に、必要な時すぐにファイルの中身を見ることが出来る。
仕事の現場で、必要な資料をすぐに提示できる。
【図面の簡単な説明】
【０００８】
【図１】本考案の斜視図である。
【図２】本考案の嵌合部についての詳細図である。
【図３】本考案の持ち手部についての詳細図である。
【図４】本考案の持ち手部についての詳細図である。
【符号の説明】
【０００９】
1  ファイルカバー
2  持ち手
3  弾性バンド 
【図１】
0003202410.tif 000003
【図２】
0003202410.tif 000004
【図３】
0003202410.tif 000005
【図４】
0003202410.tif 000006